(57)【要約】【課題】保管場所をとらず、組み立てることで立体的な形態が得られる動物おもちゃである。【解決手段】平面形状であって、組み立てることによって動物の形態をなす第１と第２の生地１０，３０を組み立てることで、ペンギンの動物おもちゃ１となる。そのため、最終的に組み立てたときペンギンの特徴的部位を表出できるように、第２の生地は複数の表出部（切片）４０，４８等で構成されると共に、これら表出部は特徴的部位を表出できるように裁断される。第１と第２の生地は張り合わされ、特定の位置に複数の留め具（リングスナップ）が取り付け固定される。対をなす留め具同士を留めることで、ペンギンの動物おもちゃ（立体形状）となり、留め具を外すことで、平面形態となるから保管場所を取らず、重ねて収納できる。【選択図】  図５
2009034259.tif 000002
【特許請求の範囲】
【請求項１】
ロール状に巻き付けるか、躯体部位を丸めることで動物の立体形状を得るようにその形態が裁断された第１の生地と、
上記動物の特徴的部位を表出するように、上記第１の生地に貼着された、上記動物の特徴的部位を表出する複数の薄地状切片からなる第２の生地と、
上記立体形状に組み立てられるように、上記第１および第２の生地の所定個所に取り付けられた複数の留め具からなり、
上記留め具のうち、必要に応じて設けられた頭部位に位置する留め具は目の部位として機能するようになされた  
ことを特徴とする組み立て式動物おもちゃ。
【請求項２】
上記躯体は、模する動物に即して少なくとも頭部位、胴体部位、脚部位からなり、
上記第１の生地は、これら各部位が相互に連結されるように、特定形状に裁断されて使用される
ことを特徴とする請求項１記載の組み立て式動物おもちゃ。
【請求項３】
上記第２の生地は、上記動物の特徴的部位が表出されるように明度の異なる生地が使用される
ことを特徴とする請求項１記載の組み立て式動物おもちゃ。
【請求項４】
上記頭部位に取り付けられた留め具は、目の部位として機能する他に、スナップ本来の機能を有する位置に取り付けられる
ことを特徴とする請求項１記載の組み立て式動物おもちゃ。
【発明の詳細な説明】
【技術分野】
【０００１】
この発明は収納スペースを取らずに、使用時のみ立体的な動物おもちゃを具現することのできる組み立て式動物おもちゃに関する。詳しくは、組み立てる前は平面的な形態を保持し、組み立てることによって特定の動物に擬した立体形状となるように、該動物の躯体に模して裁断された薄地の生地と、複数個の留め具を使用して組み立て式動物おもちゃを実現したものである。
【背景技術】
【０００２】
動物おもちゃのうちで幼児などに喜ばれるのは、ぬいぐるみの動物おもちゃである。これらの動物おもちゃは、ゾウやペンギンの形態となるように裁断され、縫製された布地の中に、綿やその他に軽い素材からなる充填材を詰め込んだものである。詰め込む場所は、胴体部のみならず、頭部、脚部は当然のことながら、場合によっては尾の部分まで詰め込んで、実際の動物に似たおもちゃ（玩具）を具現している。
【０００３】
そのぬいぐるみを抱きながら幼児を遊ばせることで、豊かな感性を有する暖かみのある大人に育て上げることができる。情操教育には好適な教育材と言える。このようなぬいぐるみは特許文献１〜特許文献３などで公知である。
【０００４】
【特許文献１】特開平９−２１５８６９号公報
【特許文献２】特開２００５−２２４４６８号公報
【特許文献３】特開２００６−１０２１１２号公報
【発明の開示】
【発明が解決しようとする課題】
【０００５】
ところで、特許文献１および特許文献２に開示されたおもちゃは、何れも動物の形態を保持するため、布地などの内部に綿などが充填されたもので、常時その形態を保持するタイプの動物おもちゃである。特許文献３は、形態を変えながら幾つかの態様で遊ぶことのできるおもちゃであって、動物を模したおもちゃとは異なる。また、袋状をなすものであるから、ある程度の厚みを有することになる。
【０００６】
このように特許文献１〜特許文献３などに開示されたおもちゃは、常時立体形状を保持するものであるから、何れも保管するときは使用中の形態（立体形状）を保持したまま保管しなければならない。そのため、収納スペースをある程度確保しておかないと、使用した動物おもちゃの全てを棚や納戸などに収納することができない。無理矢理押し込むと、当初の形態が崩れてしまうため、商品価値としては半減してしまう。
【０００７】
また、幼児がある程度成長すると、好奇心を持って遊んでいた動物おもちゃであっても飽きてしまう傾向が強い。その場合は次の世代（弟や妹）が誕生するまで一時的に保管しておかなければならないが、その場合にもある程度の収納スペースを確保する必要がある。
【０００８】
このように、実際問題として動物の形態を模した立体形状をなす動物おもちゃは、その保管に難点がある。
【０００９】
そこで、この発明はこのような従来の課題を解決したものであって、特に保管するスペースを然程要することなく収納・保管を可能にすると共に、使用するときはその動物の形態を再現できるようにした組み立て式動物おもちゃを提案するものである。
【課題を解決するための手段】
【００１０】
上述の課題を解決するため、請求項１に記載したこの発明に係る組み立て式動物おもちゃは、ロール状に巻き付けるか、躯体部位を丸めることで動物の立体形状を得るようにその形態が裁断された第１の生地と、
上記動物の特徴的部位を表出するように、上記第１の生地に貼着された、上記動物の特徴的部位を表出する複数の薄地状切片からなる第２の生地と、
上記立体形状に組み立てられるように、上記第１および第２の生地の所定個所に取り付けられた複数の留め具からなり、
上記留め具のうち、頭部位に取り付けられた留め具は目の部位としても機能するようになされたことを特徴とする。
【００１１】
この発明では、簡単にロール状あるいは丸めることのできる第１および第２の生地を張り合わせることで平面形状の動物おもちゃを構成する。第１の生地は、ロール状に巻き付けるか、躯体部位を丸めることで動物の立体形状を得るようにその形態が裁断された生地が使用される。第２の生地は、第１の生地の特定の部位に貼着された、複数の薄地状切片からなる生地が使用される。生地としては、フェルト、多少厚手の布地、折り曲げ自在なフィルムなどロール状あるいは丸めることのできる薄手の生地が使用される。
【００１２】
第１の生地をロール状に丸めたときは、丸めた形態が動物の形態に似た形態となるように１枚の生地が裁断されて使用される。第２の生地は、その動物の特徴的部位が表出されるように第１の生地に貼着される。したがってこの第２の生地は複数の切片で構成される。第１と第２の生地を貫通して複数の留め具（スナップなど）が取り付け固定される。留め具としては、スナップのようにオスメス一対で留めることのできるものであるのが好ましい。
【００１３】
動物として、ペンギンを例示すると、ペンギンの場合、第１の生地はロール状に巻いた状態で留める。留めた状態で、ペンギンの頭部位（頭部）が現れるように第１の生地を裁断し、その裁断位置に第２の生地となる頭部用切片（表出部）が貼着される。
【００１４】
頭部として認識し易くするためこの頭部用切片はその他の部位とは明度を変える。頭部の下側には胴部位（胴体）が位置する。ペンギンを強調するため、胴部のうち前面（頭部側）にも他部と容易に識別できるような明度を持った切片（胴部用切片）が第２の生地として貼着される。
【００１５】
そして、この胴体の左右には、両手を位置するように、両手の形態を模した形状をなすように第１の生地が裁断されると共に、この部分に両手と判るような切片が貼着される。同様に、第１の生地の側面（下面）側であって、両手の下側に位置するようにペンギンの両足を表出させる形状に第１の生地が裁断され、その部位にさらに第２の生地となる切片（両足用切片）が貼着される。この両足用切片も他部との判別を容易にするため胴体部とは明度差がある切片が使用される。
【００１６】
このように、第１の生地をロール状に巻き付けた状態で固定したとき、正面には頭部が位置し、その下側にはふっくらした胴体が位置し、胴体の両側には両手が伸び、胴体の下側には両足が位置するように、第１の生地が裁断されると共に、対応する個所には、それぞれの部位を象徴的に表出する切片が貼着される。
【００１７】
頭部にはその左右に、一対のスナップが取り付け固定される。これら一対のスナップは目を表す部位として機能するように、縁取りされた色つきのカラーリングスナップが使用される。
【００１８】
こうすることで、立体化されたペンギンが現出する。スナップを外せば、２枚の生地からなる平面形態となるから、保管スペースが僅かで済む。重ねて保管できるので、狭いスペースでも保管できる。
【発明の効果】
【００１９】
この発明では、薄地状で平面形態をなす一対の生地を使用し、これらがロール状に巻き付けられたり、丸められたりすることによって特定の動物を表す立体おもちゃとなるように構成したものである。
【００２０】
第１及び第２の生地のそれぞれを特定の動物の形態に模した形状に裁断することで、使用前は平面形態を保持し、使用中は特定の動物に模した立体形態で使用することができる。
【００２１】
その結果、動物おもちゃを使用していないときは、単なる平面的な形態となるため、保管スペースを今までより同等な大きさを有する動物おもちゃの数分の１から数十分の１にまでその占有体積を削減できる。重ねて保管することもできるので狭いスペースでも保管できる。また、積み重ねて保管するだけであるから、本来の形態を崩すことなく収納や保管が可能になる。
【発明を実施するための最良の形態】
【００２２】
続いて、この発明に係わる組み立て式動物おもちゃの実施の形態を図面を参照して詳細に説明する。使用する部材や、大まかな大きさは何れの実施例も同じである。
【実施例１】
【００２３】
図１〜図５は、実施例１としてペンギンに模した組み立て式動物おもちゃ１を示す。
【００２４】
この発明に係わる組み立て式動物おもちゃは、所定の形状に裁断された第１の生地に、同じく第１の基準の裁断形状に合うように裁断された複数の薄地状の切片を貼着した第２の生地と、これら第１及び第２の生地の所定位置に取り付け固定された複数の留め具とで構成される。
【００２５】
第１の生地は組み立てたときの動物の形態に模した形態になることを考慮して裁断される。同様に、第２の生地は動物の特徴的部位を表出するために使用されるもので、代表的な部位としては、胴体部位であり、頭部位、四足部位（手部位、脚部位）などである。
【００２６】
これら部位を明確に区別できるように、裁断形状と使用する色彩が選ばれる。第１及び第２の生地に用いる色彩は動物に即した色彩を採用する場合の他に、看者や使用者（特に幼児）にとって印象に残る色彩が採用されることになる。複数の留め具は第１の生地（したがって第２の生地）をロール状に巻き付けたときの立体形状を保持するために使用される部品である。
【００２７】
図１は第１の生地１０の形状の一例を示す図（展開図）であり、図２は、この第１の生地１０の裏面側に貼着された第２の生地３０の平面展開形状を示す。したがって、この第２の生地３０はその形態が第１の生地１０と同一形状となるように裁断されている。
【００２８】
そして、図３は図２のＡ−Ａ断面を、図４はそのＢ−Ｂ断面を示し、組み立てることで図５に示すようなペンギンの立体形状が現出する。スナップを外さない限り、この立体形状がほぼ保持される。図６は組み立て途中の状態を示す。図３および図４に示す断面図において、破断線（ハッチング）は省略して図示してある。以下に示す各実施例においても同様である。
【００２９】
図１から説明する。第１の生地１０は所定形状に裁断されると共にロール状に巻き付けて使用されるため、この第１の生地１０はフェルトのような柔軟であるが加工し易く、しかもロール状に巻き付けても巻き付け後の形状が崩れにくい薄地の素材が使用される。したがってこのような性質を有する素材であればフェルト以外の素材（比較的厚地の布地等）でも使用できる。
【００３０】
図１に示すように、第１の生地１０は、この生地をロール状に巻き付けたとき、ペンギンの形態に似た形態（ほぼ頭截円錐形状）となるように、動物の形態を考慮した形状に裁断される。
【００３１】
したがって、第１の生地本体１２は一枚の生地からなり、ほぼ扇状をなす胴体用生地部１４と、ほぼ「ハ」の字状をなす頭部用生地部１６と、これらの間を連結する連結部用生地部１８とで構成される。
【００３２】
胴体用生地部１４は、その形状が巻き付け中心ｉを中心とする円弧状の内縁１２ａと、中心ｉを同じくする円弧状で内縁１２ａよりも半径の大きな外縁１２ｂからなるほぼ扇弧状円錐形体に裁断される。これはペンギンの胴体部（ほぼ頭截円錐形状）に模した形態とするためである。
【００３３】
頭部用生地部１６は、ペンギンの特徴的部位の一つであるので、その裁断形状は強調された形態となるように裁断されている。この頭部用生地部１６は、中心に頭部位が位置し、これと一体的にひれ状のフリッパー部用生地部２２（２２ａ，２２ｂ）が左右下部に垂れ下がるように、うり形状に裁断されると共に、頭部の上部には飾り羽である冠羽に相当する生地部２４が設けられている。この例では、冠羽を強調した裁断となっており、波状に数波突出させて冠羽部用生地部２４となされている。
【００３４】
フリッパー部用生地部２２ａ，２２ｂの中間位置には頭部より下側に突き出させて口ばしを模した口ばし部用生地部２０が形成される。したがって、この頭部用生地部１６は口ばし部用生地部２０を中心として線対称形に裁断されている。
【００３５】
胴体用生地部１４と頭部用生地部１６とは細くくびれた連結部用生地部１８によって相互に連結されている。
【００３６】
さて、胴体用生地部１４のうち、外縁１２ｂの右端側には、外方に僅かに突出した山形状をなす一対の脚部用生地部２８（２８ａ，２８ｂ）が形成されている。脚部用生地部２８はペンギンの足（脚）を模した形態となっている。後述するように、第１の生地１０を支点ｉを中心にして端縁１４ａを巻き込むように矢印ａ方向に巻き付ける、つまり図示の面が内側となるように巻き付けたとき、ペンギンを模した形態が現出するように第１の生地１０の各部位が互いに連結された状態で裁断されるものである。
【００３７】
続いて、図２を参照して第２の生地３０について説明する。第２の生地３０は、第１の生地１０と同一素材（フェルト）で、同一厚みの生地が使用されると共に、上述したように第１の生地１０の一面に貼着されて使用されるものであり、動物おもちゃの特徴的部位を表出するように、特徴的部位を模した複数の薄地状切片によって第２の生地３０が構成される。
【００３８】
そのため、まず第２の生地３０となる第２の生地本体３２も、特徴的部位を除いて第１の生地１０を構成する第１の本体部位１２とほぼ同じ形状に裁断される。
【００３９】
裁断された第２の生地本体３２は、表裏一体となるように第１の生地本体１２に貼着されて合体される（図３，図４参照）。そして第２の生地本体３２は、ペンギンの特徴的部位を表出するために複数の切片（生地部）で構成される。
【００４０】
ペンギンの特徴的部位の第１は、胴体である。この例では、図１に示す脚部用生地部２８ａ，２８ｂを挟むように、おまんじゅう状（半割された卵状）に裁断された薄地状切片が胴体用表出部４４として貼着される。
【００４１】
胴体用表出部４４の下端部には、薄地状切片からなり、脚部に模した脚部用表出部４８（４８ａ，４８ｂ）が貼着される。
【００４２】
口ばし部位用生地部２０に対応する第２の生地本体３２には、口ばしに模した薄地状切片からなる口ばし部用表出部４０が貼着される。
【００４３】
頭部用表出部４６の上方で波形形状の表出部４５ｃは冠羽部用である。この冠羽部用表出部４５ｃの左右両側端側に位置する表出部４５ａ，４５ｂも同じ冠羽部であるが、この例では冠羽を強調するため、形状は同じであるが、異なる色彩の薄地状切片が用いられる。貼着されたこれらの表出部４８，４０，４５ａ〜４５ｃは、いずれもペンギンの特徴的部位を表出するものであるから他の部位を表す第１の生地本体１２、あるいは第２の生地本体３２とは明瞭に区別できるように、彩度及び明度の異なる色彩を持った生地が使用される。
【００４４】
続いて、留め具について説明する。以下説明する例は留め具としてリングスナップ（以下単にスナップという）を使用した場合であるが、これに限られるものではない。複数のスナップ５２〜５６は原則としてメス、オス一対で使用される。図４に示すように、スナップ５２〜５６は第１及び第２の生地本体１２，３２の両面を貫通するように取り付け固定される（カシメ処理）。
【００４５】
図１を参照して説明すると、まず胴体部位にあって、この例では外縁１２ｂのうち左側生地端面１４ａ側には、係合面が裏側を向くようにメス型のスナップ５２Ａが取り付けられる。一方、右側生地端面１４ｂ側には、その係合面が表側を向くようにオス型のスナップ５２Ｂが取り付けられる。これらスナップ５２Ａ，５２Ｂによって対をなすスナップ５２が構成される。
【００４６】
内縁１２ａ側で、丁度スナップ５２Ｂと対応する位置に、その係合面が裏側を向くようにメス型スナップ５６Ａが取り付けられ、また頭部用生地部１６のうち上頭部の隅部付近にこのメス型スナップ５６Ａに対して対となるオス型スナップ５６Ｂが取り付け固定される。
【００４７】
そして、この例では頭部用生地部１６のうち口ばし用生地部２０側に、一対のスナップ５４Ｂ，５４Ｂが取り付けられるが、これは目を表す部位（部品）として使用される。上述したように特定のカラー（この例では白色）でコーティングされたカラーリングスナップを用いることで、カシメの部分を、ペンギンの目の輪郭として表現することができる。
【００４８】
以上のように構成された組み立て式動物おもちゃ１にあって、組み立てた立体形状を図５に、その途中の状態を図６に示す。
【００４９】
この立体形状を得るため、図１に示す第１に示す第１の生地本体１２の内面１２ｃが内側となるように、端縁１４ａ側からロール状に巻き付ける。そして図６に示すように、メス型スナップ５２Ａがオス型スナップ５２Ｂと対峙する位置までロール状に巻き付けたところで、両スナップ５２Ａ，５２Ｂを互いに押し当てる。こうすることで、胴体用表出部４４の下端部側が固定されるので、図５のように正面側に頭截円錐形の胴体部が表出する。
【００５０】
さらに、頭部位側もロール状に巻き付けて、一対のスナップ５６Ａ，５６Ｂ同士を留める。こうすると、胴体用表出部４４の上方に頭部が位置すると共に、口ばし用表出部４０が胴体用表出部４４の上端縁側に当接する。
【００５１】
その結果、図５に示すように、ペンギンの特徴的部位として、胴体部位、頭部位、口ばし部位、および脚部位がそれぞれ表出された立体状の形態が得られる。各特徴的部位となる第２の部位表出部４４，４０，４６に、それぞれ異なった色彩のフェルトを使用することで、カラフルで、愛らしいペンギンおもちゃが得られる。
【００５２】
このようにおもちゃとして使用するときは、第１と第２の生地１２，３２をロール状に巻き付けたのち固定することで、ペンギンを模した動物おもちゃ１となる。幼児が手にとって遊んでもその形態が崩れることはない。また、外縁１２ｂ側の内側は空洞となっているために、ここにお母さんの手を差し込めば子供（幼児）と対話しながら遊ぶことができ、情操教育の教材としても活用できる。
【００５３】
使用後はスナップ５２，５６を外すことで生地のみの厚さをもつ平板状のおもちゃとなるから、おもちゃを保管したりするときのスペースを従来よりも大幅に削減できる。
【００５４】
動物おもちゃを立体的に組み立てるためには、複数のスナップを留めるが、このときどのスナップ同士が対となるスナップであるかは明示されていないので、パズル的な感覚で組み立ての過程を楽しむこともできる。
【実施例２】
【００５５】
以下に示す実施例は、組み立て式動物おもちゃとして「ゾウ」の例を示す。
図７は展開したときの第１の生地１１０の平面形態を、図８は第１の生地１１０の一面に貼着された第２の生地１４０の平面形態を示す。
【００５６】
この組み立て式動物おもちゃ１００は、組み立て後の形態がゾウであるため、図７に示すように第１の生地１１０は４つの部位で構成される。すなわち第１の生地１１０を構成する第１の生地本体１１２は、頭部用生地部１１４、胴体部用生地１１６、臀部用生地部１１８および脚部用生地部１２２（１２２Ａ〜１２４Ｄ）が、これらの順序で互いに連なった状態で、縦線Ｐを中心にして線対称形となるように、１枚の生地本体１１２が裁断される。
【００５７】
頭部用生地部１１４の両端部は耳部用生地部１２４（１２４Ａ，１２４Ｂ）となされ、その中心部には所定の長さと幅をもって裁断された鼻部用生地部１２６が位置する。
【００５８】
両耳と鼻の部位はそれぞれゾウらしく強調した形態となるように他部よりは大きめに裁断される。また、４足の脚部用生地部１２２は臀部用生地部１１８と連なっており、しかもゾウの足らしい形態となるように考慮して裁断されている。臀部用生地部１１８の中心に位置する尻尾用生地部１２８もゾウの特徴を表す部位となる。
【００５９】
図８は表地となる第２の生地１４０を示す。第２の生地１４０は、ゾウの各部位ごとに第１の生地本体の形状に合致するように裁断された薄地状の切片からなる複数の部位表出部で構成される。この例では頭部用表出部１４４，胴体部用表出部１４６，臀部用表出部１４８および脚部用表出部１５２をそれぞれ表すための薄地状切片で構成される。
【００６０】
ここで、頭部と耳部とを区別するため頭部用表出部１４４と耳部用表出部１５４とは別々の切片で構成される。鼻部用表出部１５６と頭部用表出部１４４とは連なった切片で形成される。脚部用表出部１５２にあっては、肉球部（爪部）１８０Ａ〜１８０Ｄを強調できるような切片で構成される。尻尾部用表出部１５８も独立した切片が使用される。
【００６１】
ゾウの特徴的部位を表出するため、それぞれの部位表出部１４４，１４６，・・・は、カラフルで愛らしい色彩に彩られたフェルトが使用される。そして、特定形状に裁断された部位表出部は、第１の生地本体１１２の対応部位に貼着される（図９および図１０参照）。
【００６２】
そして、それぞれの部位には、ゾウの立体形状を保持するために複数の留め具（スナップ）が取り付け固定される。
【００６３】
具体的には、図７に示すように脚部用生地部１２２には、部位表出部を丸めることで太い足の形態が保持されるような位置にそれぞれ対をなすスナップ１６８〜１７４が使用される。同様に、頭部と胴体部を合体し、胴体部と臀部とを合体するため、各部位には対をなすスナップ１６０〜１６６が取り付け固定される。
【００６４】
そして、脚部用生地部１２２に設けられたスナップ１６８〜１７４を留めることで、ゾウの脚部（１５２Ａ〜１５２Ｄ）となる（図１１，図１２参照）。そして胴体部に取り付けられたスナップ１６０Ａ，１６２Ａを、臀部に取り付けられたスナップ１６０Ｂ，１６２Ｂに係合させることで、胴体部と臀部とが接近し、しかも互いに丸味を帯びた状態で留めることができる。これによって胴体部とでん部部が立体的な膨らみをもって連結される。
【００６５】
スナップ１６４Ｂ，１６６Ｂはゾウの目の部分に当たる。目を表現するためスナップ１６４Ｂ，１６６Ｂはカラーリングスナップ（この例では黒色）が使用される。
【００６６】
したがって、全てのスナップを係合させると、図１１に示すように四足で歩行するゾウの立体的形態となり、頭部のうち両耳部と鼻部の双方は胴体部より独立し、頭部の中心には一対の目が位置しているため、リアリティに富んだ形態を具現できる。
【００６７】
全てのスナップの係合を外せば、平面形態に戻るため、実施例１と同様に収納スペースを要せず、収納に適した組み立て式の動物おもちゃを提供できる。
【００６８】
動物おもちゃを立体的に組み立てるためには、複数のスナップを留めるが、このときどのスナップ同士が対となるスナップであるかは明示されていないので、パズル的な感覚で組み立ての過程を楽しむこともできる。
【実施例３】
【００６９】
実施例３以下に、さらに主だった組み立て式動物おもちゃの具体例を述べる。ただし、その構成は実施例１や実施例２を踏襲しているので、詳細な説明は割愛する。最終的に立体的な形態となるように、動物を模した形状に裁断された第１の生地（第１の生地本体）と、同じく立体的な形態に組み立てられたとき、その動物の特徴的部が表出するように複数の薄地状切片からなる第２の生地（第２生地本体）とで構成され、第２の生地で構成された部位表出部が対応する第１の生地本体の対応する位置に貼着される。そして、第１と第２の生地本体の双方を貫通するように複数のスナップが取り付け固定され、これらスナップを使用することで立体的形態を具現する。
【００７０】
実施例３は、カメを表現する動物おもちゃ２００の例である。
図１３はカメの動物おもちゃ２００を形成する第１の生地２１０の形状例であり、図１４はこの第１の生地２１０に貼り合わせられる第２の生地２４０の切片構成例である。
【００７１】
カメの動物おもちゃ２００にあっては、ロール状に巻き付ける訳ではないが、線対称の形状をその中心Ｐから折り曲げながら組み立てることで、カメの形態を実現する。
【００７２】
図１３から説明する。図１３は第１の生地２１０の裁断例であって、ほぼ長方形状をなす１枚の生地本体２１２を利用して、そのほぼ中心部にカメの甲羅を模した形態となるように甲羅用生地部２１４が位置し、その左右にはカメの頭部を模した形態となされた頭部用生地部２１６が位置し、そして甲羅用生地部２１４の下側にはカメの四肢を表す脚部用生地部２１８がそれぞれ位置するような形状に裁断される。第１の生地本体２１２は甲羅用生地部２１４の中心線（縦線）Ｐを基準にした線対称形となるように裁断される。
【００７３】
まず、甲羅用生地部２１４は、ほぼ山形状であって、一部が互いに連なるように同形の３つの甲羅用生地部２１４Ａ，２１４Ｂ，２１４Ｃを有する。中央部に位置する頂面甲羅用生地部２１４Ａを中心として、これに連なって左右に左右面甲羅用生地部２１４Ｂ、２１４Ｃを有する。３つの甲羅用生地部２１４Ａ〜２１４Ｃを使用することで、膨らみをもった凸部で構成された甲羅部全体を表現できる。
【００７４】
左右面甲羅用生地部２１４Ｂ、２１４Ｃの端縁側には首を持ち上げた親指状をなす頭部用生地部２１６（２１６Ａ，２１６Ｂ）が位置する。そして中心の山形をなす頂面甲羅用生地部２１４Ａを中心として第１の生地本体２１２の下端縁部側には四肢を表す脚部用生地部２１８が一体形成される。この例ではほぼ逆プリン形（逆山形状）をなす脚部として構成され、外側に形成された一対の脚部が前脚用生地部２１８Ａ，２１８Ｂとなり、内側に形成された一対の脚部が後脚用生地部２１８Ｃ、２１８Ｄとなる。また、頂面甲羅用生地部２１４Ａの下端縁部からバナナ状をなす尾部用生地部２２０が一体形成される。
【００７５】
このように展開した状態から中心線Ｐを基準にして谷折りに折り畳むことでカメの形態を模した立体形状となるように、中心線Ｐを基準にして甲羅用生地部２１４，頭部用生地部２１６および脚用生地部２１８のそれぞれが、左右対称形となるように１枚の生地から裁断されて第１の生地２１０が構成される。
【００７６】
なお、頂面甲羅用生地部２１４Ａの頂部に、蝶々の形をした連結用生地部２２２が形成される。この連結用生地部２２２は左面および右面の各甲羅用生地部２１４Ｂ，２１４Ｃと頂面甲羅用生地部２１４Ａを互いに連結するために使用される。
【００７７】
このような形状に裁断された１枚の生地からなる第１の生地２１０に対して、同一形状からなる第２の生地２４０が貼着される。図１４に第２の生地２４０の形状例を示す。第２の生地２４０はカメの特徴的形態が表出するように裁断された複数の薄地状の切片で構成される。
【００７８】
この第２の生地２４０もフェルトのように加工しやすく、薄地ではあるが、立体形状を保持し易い素材が使用される。
【００７９】
第２の生地２４０は、甲羅部に対応するように裁断された３つの切片からなる甲羅表出部２４４Ａ〜２４４Ｃで構成された第２の生地本体２４２を有する。
各甲羅表出部２４４Ａ〜２４４Ｃの各下部は３つの甲羅表出部２４４Ａ〜２４４Ｃに連なるように波形をした帯状表出部２４５となされ、これら各甲羅表出部２４４Ａ〜２４４Ｃと帯状表出部２４５が甲羅部２１４の対応した位置に貼着される。頂面甲羅表出部２４４Ａには連結用切片２５２が貼着される。
【００８０】
また、図１３に示すように頭部用生地部２１６の裏面側には、これと同じ形状に裁断された切片からなる頭部表出部２４６（２４６Ａ，２４６Ｂ）が貼着固定される。さらに、脚用生地部２１８と対応する裏面側にも同じ形状に裁断された切片からなる脚部表出部２４８（２４８Ａ〜２４８Ｄ）が貼着固定される。同様に、尾部用生地部２２０と対応する部分にも同一形状の尾部表出部２５０が貼着固定される。
【００８１】
第１と第２の生地２１０，２４０は共にその素材がフェルトであるから、それぞれを貼着しても平面形態を保持する（図１５、図１６参照）。その厚みも全体に亘って均一である。
【００８２】
さらに図１５あるいは図１６のように互いに貼着固定された第１および第２の生地２１０，２４０との間を貫通するように、複数のスナップ２３０〜２３４が取り付けられる。スナップ２３０〜２３４としては上述したようにオス型とメス型からなるリングスナップが使用される。
【００８３】
この例では、甲羅用生地部２１４同士を連結するため、図１３に示すように連結用生地部２２２と右面甲羅用生地部２１４Ｃとの間には、その所定位置にメス型およびオス型のスナップ２３２Ａ，２３２Ｂが取り付け固定される。同じく、左面甲羅用生地部２１４Ｂと連結用生地部２２２との間には、メス型とオス型のスナップ２３０Ａ、２３０Ｂがそれぞれ取り付け固定される。
【００８４】
この例では、連結用生地部２２２側のスナップ２３０Ｂ、２３２Ｂはオス型のスナップが使用されている。これは、両者を連結したとき連結部２２２したがって図１４に示す連結用切片２５２を敢えて外部に露呈させることで、意匠的効果を狙ったものである。
【００８５】
また、頭部用生地部２１６にはその所定位置にスナップ２３４が取り付け固定される。図１３においてその左側のスナップ２３４Ａがオス型であるときは、右側のスナップ２３４Ｂはメス型のスナップが使用される。また、これらスナップ２３４Ａ，２３４Ｂとしては何れもカラー（例えば白色）でコーティングされたカラーリングスナップが使用される。
【００８６】
この白色でコーティングされたスナップ２３４を使用すると、このスナップ２３４を本来の連結部品としての他に、カメの目（眼）の部位を表出する部品として機能させることができる。
【００８７】
さて、このような形状からなる組み立て式の動物おもちゃ２００にあって、図１３および図１５に示す中心線Ｐを中心にして第１の生地が裏地となり、第２の生地２４０が表地となるように、第１の生地２１０を谷側に折り、第２の生地２４０を山側に折り曲げ、一対のスナップ（２３０Ａ、２３０Ｂ）、（２３２Ａ，２３２Ｂ）同士をそれぞれ連結すれば、図１７に示すように膨らみのある甲羅部の立体形状が出現し、また、頭部のスナップ２３４Ａ，２３４Ｂ同士を連結すれば頭部が一体化される。そして、頭部とは反対側に尾部が位置するので、図１７のようなカメの動物おもちゃ（立体おもちゃ）２００に組み立てることができる。
【００８８】
ここで、組み立てたとき表地となる第２の生地２４０にあっては、カメの特徴的部位を強調できるようにカラフルな色彩を有する切片が使用される。甲羅用生地部２１４の内面は空洞であるので、ここにお母さんの手を入れることで、カメの動物おもちゃ２００を用いて幼児と対話し、楽しみながら、幼児の情操を育むことができる。
【００８９】
スナップ２３０〜２３４を外せば、平面形態に戻るので、積み重ねて保管することができ、スペースを取らない動物おもちゃを実現できる。動物おもちゃを立体的に組み立てるためには、複数のスナップを留めるが、このときどのスナップ同士が対となるスナップであるかは明示されていないので、パズル的な感覚で組み立ての過程を楽しむこともできる。
【実施例４】
【００９０】
図１９以下は、カブトムシ（カブト虫）に模した動物おもちゃ３００を例示する。図１９に示す第１の生地３１０は裏地を構成し、１枚のフェルトから、丁度カニを模したような形状に裁断される。つまり、頭部、胸部および脚部のそれぞれが、特徴的に現れるような形状に裁断されている。カブトムシであるから、その特徴的部位としては頭部であり、角（特に頭角）であり、そして６本の脚部である。
【００９１】
このようなカブトムシの特徴を生かすため、図１９に示すように縦線（垂線）Ｐを基準にして第１の生地本体３１２が左右対称形に裁断される。具体的には、第１の生地本体３１２はほぼＹ字状に裁断され、そのうちその上部を示す頭部用の生地部３１４は他部に比して大きく、ゴム風船を膨らませる前の先端部のような形状に裁断される。そしてその中心に頭角用生地部３１６が位置する。頭角は、ほぼＹ字状の形状で表わす。
【００９２】
この頭部用生地部３１４に連なってその下部側に胸部用生地部３１８が位置する。胸部用生地部３１８の左右に６本の脚部用生地部３２０が設けられる。脚部用生地部３２０（３２０Ａ〜３２０Ｃ）はリアリティを増すため、それぞれが形を変えた脚となるように裁断されている。胸部用生地部３１４の両脇から突出した切片３２２Ａ〜３２２Ｃは何れも後述する留め具を取り付けるために使用される切片である。
【００９３】
図２０に第２の生地３３０の形状例を示す。  
第１の生地３１０に貼着される第２の生地３３０も、第１の生地本体３１２と同じ形状となるように裁断された複数の切片で構成される。頭部は、頭部と翅部を兼ねているので、第２の生地３３０にあっては、その中心部に切片からなる頭部用表出部３３４を位置させ、その両側には切片からなる左右の翅部用表出部３５０（３５０Ａ，３５０Ｂ）を位置させる。
【００９４】
また、胸部にあっては、胸部の両側に脚部が位置するため、この例では胸部を、複数の帯状切片からなる胸部用表出部３３８（３３８Ａ〜３３８Ｃ）で構成し、同じく帯状をなすが、胸部よりも左右に突出するように、一部折れ曲がり部を有する切片からなる脚部用表出部３４０（３４０Ａ〜３４０Ｃ）が位置する。この胸部用表出部３３８と脚部用表出部３４０とが交互に位置するように配置される。
【００９５】
このような形状に裁断された第１と、第２の生地本体３１２，３３２は図２１および図２２に示すように貼着合体される。
【００９６】
続いて、留め具について説明する。図２０を参照して説明する。留め具としては上述したリングスナップが使用される。
【００９７】
まず、翅部と胸部を連結するために、右側の翅部用表出部３５０Ａの下端部側には３つのメス型のスナップ３６０Ａ，３６２Ａ，３６４Ａが並置して取り付けられ、これらと対をなすオス型のスナップ３６０Ｂ、３６２Ｂ、３６４Ｂが胸部用表出部３３８Ａ，３３８Ｂ，３３８Ｃであって、第１の生地本体３１２よりも右端側に突出した取り付け片３４２のそれぞれに取り付けられている。
【００９８】
同じく、左側の翅部用表出部３５０Ｂの下端部側にも３つのメス型のスナップ３６６Ａ，３６８Ａ，３７０Ａが並置して取り付けられ、これらと対をなすオス型のスナップ３６６Ｂ、３６８Ｂ、３７０Ｂが胸部用表出部３３８Ａ，３３８Ｂ，３３８Ｃであって、第１の生地本体３１２よりも左端側に突出した取り付け片３４３側に取り付けられている。
【００９９】
また、翅部用表出部３５０Ａ，３５０Ｂ同士を連結するために翅部用表出部３５０Ａ，３５０Ｂの中央上部に、対をなすスナップ３７２Ａ，３７２Ｂが取り付けられている。この例では、右側のスナップ３７２Ａとしてメス型スナップが使用されている。
【０１００】
さて、このように構成された第１および第２の生地本体３１２，３３２は図２１および図２２に示すように互いに接着剤等によって貼着固定される。そして、図１９に示す第１の生地本体３１２の表面が内側となるように、縦線Ｐを基準にして谷折りして、第２の生地本体３３２がおもて面となるように折り曲げ、対となるスナップ同士を留める。
【０１０１】
このとき、図２４に示すように脚部用表出部３４０のそれぞれが胸部用表出部３３８よりも外側となるようにスナップ３６０等を留める。こうすることで、図２３に示すようなカブトムシにその立体形態を模した動物おもちゃ３００を得ることができる。
【０１０２】
スナップを外すことで、図１９および図２０に示すような平面形状となるので、保管するスペースが僅かで済む。動物おもちゃを立体的に組み立てるためには、複数のスナップを留めるが、このときどのスナップ同士が対となるスナップであるかは明示されていないので、パズル的な感覚で組み立ての過程を楽しむこともできる。
【実施例５】
【０１０３】
図２５以下は、動物おもちゃ４００としてトリ（鳥）を例示する。
図２５は、第１の生地４１０の展開した状態の平面形状であって、この例で横線Ｐを基準にして線対称となるように、ほぼトンボ状をなす平面形状に裁断され、帯状の右先端部が鳥のくちばしを表す生地部４１４として使用される。そのため、先端部は楕円状の円弧をなす。
【０１０４】
帯状の中央部近傍に形成された縦長のスリット孔４２６との間が、頭部を表す生地部４１６として使用され、そして左端部が尾羽（尻尾）を表す生地部４２１として使用される。また、この尾羽用生地部４２１とスリット孔４２６との間にあって、スリット孔４２６寄りが下腹部を表す生地部４１８として、尾羽寄りが尾筒部を表す生地部４２０として使用される。
【０１０５】
さらに、下腹部用生地部４１８と尾筒部用生地部４２０との間から上下に向かって突出するようにハート状に裁断された生地部（一体もの）のうち、右側半分の生地部４２２（４２２Ａ，４２２Ｂ）が胸部を表す生地部として使用され、左側の生地部４２４（４２４Ａ，４２４Ｂ）が上腹部を表す生地部として使用される。
【０１０６】
スリット孔４２６はくちばし用の生地部４１４を挿通するための透孔であって、生地厚のほぼ２倍の幅を有している。また、このスリット孔４２６の上下両端部に突出して設けられた切片４２７は後述する留め具の取り付け片として機能する。
【０１０７】
図２６は、第２の生地４３０の展開図（平面形状）を示す。第２の生地４３０は第１の生地４１０と表裏の関係にあり、第１の生地本体４１２と、同一の生地を使用して同一の形状に裁断された、複数の切片から構成される。
【０１０８】
この例では、トリのくちばしから尾羽にかけて共有表出部４３２として構成され、そのため、くちばし、頭部、下腹部、尾筒および尾羽までが、切片４６７を含めて一体の生地（切片）となっている。
【０１０９】
これに対してハート状の生地部のうち、胸部に対応する生地部のうち右側部分は、同一形状に裁断された切片からなる胸部用の表出部４４２となされ、左側部分は同じく同一形状に裁断された切片からなる上腹部用の表出部４４４となされる。図２６の例は、表出部４４２と４４４との接合部分の裁断形状は直線状であるが、この裁断形状は任意であって特に限定されるものではない。
【０１１０】
第１の生地本体４１２と第２の生地本体４３２とは互いに位置合わせした状態で接着剤などを使用して貼着される。貼着されたときの図２６におけるＡ−Ａ線上断面図を図２７に、Ｂ−Ｂ線上断面図を図２８に示す。
【０１１１】
留め具について図２５を参照して説明する。まず、くちばし用生地部４１４とスリット孔４２６との間の上下にそれぞれメス型のスナップ（リングスナップ）４５０Ａと４５２Ａとが取り付けられる。これらと対をなすオス型のスナップ４５０Ｂと４５２Ｂが胸部用生地部４２２Ａ，４２２Ｂの左側周縁部に設けられた切片４２５，４２５の双方に設けられる。
【０１１２】
スリット孔４２６に近接した切片４２７に取り付けられたメス型のスナップ４５４Ａ，４５６Ａには、これらと対をなすオス型のスナップ４５４Ｂと４５６Ｂが胸部用生地部４２２Ａ，４２２Ｂの中央右部寄りに設けられる。
【０１１３】
次に、下腹部用生地部４１８の上下端縁側に設けられたメス型スナップ４５８Ａ，４６０Ａには、これらと対をなすオス型のスナップ４５８Ｂと４６０Ｂが胸部用生地部４２２Ａ，４２２Ｂの右側周縁部に設けられた切片４２３，４２３の双方に設けられる。
【０１１４】
次に、尾筒部用生地部４２０と尾羽用生地部４２１との間に設けられたオス型スナップ４６２Ａ，４６４Ａに対する留め具として、上腹部用生地部４２４の左周縁部近傍にメス型のスナップ４６２Ｂ、４６４Ｂがそれぞれ設けられる。
【０１１５】
なお、下腹部用生地部４１８に設けられたスナップ４５４Ａ，４５６Ａは何れもトリの目を表す部位となることから、これらスナップ４５４Ａ，４５６Ａを目を表出する部材として使用するため、これらは何れもカラー（例えば白色）のリングが第２の生地４３０のおもて面側に表出するように取り付けられる。したがって、これらスナップはいずれも（カラーリングスナップ）が使用される。オス型およびメス型のスナップの形状は図２７および図２８によって明らかとなる。
【０１１６】
このように複数の留め具を使用して、対をなすスナップ同士を留める。スナップ４５０，４５２，４５４，４５６，４５８、４６０をそれぞれ留めることで、図２９に示すように下腹部と胸部とが一体化し、スナップ４６２，４６４を留めることで、上腹部と尾筒部が一体化する。そして、図３０〜図３２のようにくちばし用生地部４１４の先端部を図２５の生地面（裏地）が内側となるように丸めてスリット孔４２６を通し、先端部を多少突出させることで、図２９に示すように、可憐なくちばしを頭部のうち先頭部から覗かせた鳥のおもちゃ４００を再現できる。
【０１１７】
おもて地を構成する第２の生地４３０としては、３つの切片によってトリの特徴的部位が表出されるように、カラフルな色彩で彩られた切片が使用される。これによって組み立てたとき、図２９のようにトリ（都鳥のような色鮮やかな小鳥）の特徴的部位が表出された動物おもちゃ４００を具現できる。そして、留め具を全て取り外すことで平坦な裁断布地となるので保管が容易となる。
【０１１８】
動物おもちゃを立体的に組み立てるためには、複数のスナップを留めるが、このときどのスナップ同士が対となるスナップであるかは明示されていないので、パズル的な感覚で組み立ての過程を楽しむこともできる。
【実施例６】
【０１１９】
図３３から図３８までは、動物おもちゃとしてサカナ（魚）を例示する。サカナとしては色鮮やかな熱帯魚を模している。図３３は裏地となる第１の生地５１０の裁断形状例を示し、図３４はこの第１の生地５１０に貼着される第２の生地５３０の薄地状切片形状を示す。図３５は図３４のＡ−Ａ線上の断面図であり、図３６はＢ−Ｂ線上の断面図である。そして、図３７は組み立てた状態の動物おもちゃの斜視図であって、図３８と図３９はその途中の形態例を示す。第１および第２の生地５１０，５３０は何れも色彩が施されたフェルトを使用した場合である。
【０１２０】
図３３から説明すると、第１の生地５１０は１枚の生地本体（第１の生地本体）５１２からなり、図のようにその基本形は、縦線Ｐを中心とした線対称となるように裁断されている。魚を構成する各部位は、その全体が１枚の生地本体５１２で相互に連結された状態となるように裁断される。
【０１２１】
この動物おもちゃ５００は頭部用生地部５１４、連結用生地部５１６，胴体用生地部５１８，背びれ用生地部５２０，尾びれ用生地部５２２，尻びれ用生地部５２４および胸びれ用生地部５２６で構成される。
【０１２２】
頭部用生地部５１４は、熱帯魚の頭部をイメージした形状（この例ではほぼ台形状）であって、左右対称形に裁断された一対の生地部５１４Ａ，５１４Ｂで構成される。一対の生地部５１４Ａ，５１４Ｂは連結用の生地５１６によって相互が連結される。
【０１２３】
連結用の生地部５１６の下部には左右に延びる胴体用生地部５１８が位置する。この胴体用生地部５１８に連なってその左右に背びれ用生地部５２０が位置する。背びれ用生地部５２０は、左右対称となされたほぼ山形状をなす一対の生地部５２０Ａ，５２０Ｂで構成され、生地部５２０Ａ、５２０Ｂ上端内縁部に頭部用生地部５１４Ａ，５１４Ｂの一部が入り込んだ状態となるように裁断される。背びれ用生地部５２０の下端部に連なるように尾びれ用生地部５２２が位置し、そして、胴体用生地部５１８の下部に尻びれ用生地部５２４が位置する。
【０１２４】
尾びれ用生地部５２２はハの字状をなす形状に裁断された一対の生地部５２２Ａ，５２２Ｂで構成され、また尻びれ用生地部５２４は尾びれよりも小さく、「へら」に類似した形状に裁断された左右対称となされた一対の生地部５２４Ａ，５２４Ｂで構成される。
【０１２５】
また、胸びれ用生地部５２６は頭部用生地部５１４の左右側縁から外方に対して水平に延びる「へら」状をなす一対の生地部５２６Ａ，５２６Ｂで構成される。
【０１２６】
このような形状に第１の生地本体５１２を裁断することで、縦線（垂線）Ｐを基準にした左右対称形となされた第１の生地５１０が得られる。そして、図からも明らかなように魚の形態となるように各部位の大きさが選定される。
【０１２７】
図３４は第２の生地５３０の一例を示す。第２の生地５３０は、魚の特徴的部位を表出するため、それぞれの部位ごとに第１の生地５１０と同一形状となるように裁断された複数の薄地状の切片で構成される。
【０１２８】
第２の生地５３０は動物おもちゃ５００の表地となるものであるから、魚の動物おもちゃを強く印象付けることができるように、それぞれの切片は看者に強く印象付けられるような明るい色彩が採用されている。
【０１２９】
そのため、まず図３４のように頭部用表出部５３４は、頭部用生地部５１４Ａ，５１４Ｂと同一形状となるように裁断された一対の切片からなる表出部５３４Ａ，５３４Ｂで構成される。
【０１３０】
連結用表出部５３６と胴体用表出部５３８とは、一体となるように裁断された切片からなる表出部として構成される。この胴体用表出部５３８に連なるように、背びれ用表出部５４０が位置するが、この例では、魚の腹の部分を強調するため、胴体用表出部５３８と背びれ用表出部５４０との間に、上胴部用表出部５４１が設けられ、この上胴部用表出部５４１と連なるように背びれ用表出部５４０が設けられる。上胴部用表出部５４１はほぼ台形状をなす切片であって、尾びれの付け根付近まで占有するような形状に裁断された表出部５４１Ａ，５４１Ｂで構成される。したがって、背びれ用表出部５４０はほぼお椀型をなす一対の切片からなる表出部５４０Ａ，５４０Ｂで構成される。
【０１３１】
尾びれ用表出部５４２は、ほぼハの字状に裁断された一対の切片からなる表出部５４２Ａ，５４２Ｂで構成され、また尻びれ用表出部５４４および胸びれ用表出部５４６もまた、対応する生地部５２４，５２６と同一形状となるように裁断された一対の切片からなる表出部５４４Ａ，５４４Ｂおよび５４６Ａ，５４６Ｂで構成される。
【０１３２】
このように第１の生地５１０と同一の形状となるように裁断された複数の切片からなる複数の表出部５３４，５３６，５３８，５４０，５４１，５４２，５４４および５４６は、対応する頭部用生地部５１４等の裏面に接着剤などを使用して貼着されて合体される（図３５、図３６参照）。
【０１３３】
続いて、留め具について図３４を参照して説明する。
（１）まず、頭部を連結するために頭部用表出部５３４Ａ、５３４Ｂに一対のメス型のスナップ５６０Ａとオス型のスナップ５６０Ｂが取り付けられる。頭部と連結部を結ぶために表出部５３４Ｂ側にはオス型のスナップ５５６Ｂが、連結用表出部５３６側にはメス型のスナップ５５６Ａが取り付けられ、また他方の表示部５３４Ａ側にはオス型のスナップ５５８Ｂが、連結用表出部５３６側にはメス型のスナップ５５８Ａが取り付けられる。
（２）頭部と胴体のうち背びれの端部側との連結を図るために、表出部５３４Ａ側にはメス型のスナップ５６２Ａが、上胴部用表出部５４１Ａ側にはオス型のスナップ５６２Ｂが取り付けられ、他方の表出部５３４Ｂ側にはメス型のスナップ５６４Ｂが、上胴部用表出部５４１Ｂ側にはオス型のスナップ５６４Ａが取り付けられている。スナップ５６２Ａ、５６４Ｂは破線のように生地を折り曲げた状態で留められる。
（３）背びれ同士を連結するため、左側の背びれ用表出部５４０Ａのうち上側にはオス型のスナップ５５４Ａが、右側の背びれ用表出部５４０Ａのうち上側にはメス型のスナップ５５４Ｂがそれぞれ取り付けられ、同じく左側の背びれ用表示部５４０Ａの下側にはメス型のスナップ５５２Ａが、右側の背びれ用表出部５４０Ｂの下側にはオス型のスナップ５５２Ｂがそれぞれ取り付けられている。
（４）尾びれ用表出部５４２のうち、左側の付け根付近にメス型のスナップ５５０Ａが、右側の付け根付近にはオス型のスナップ５５０Ｂが取り付けられている。
【０１３４】
以上のように複数のスナップを各部位の要所に取り付け、対応するスナップ同士を留め合わせることで、図３３および図３４に示す平面形態が図３８に示す途中の組み立て形態を経て、最終的には図３７に示すように立体状をなすサカナ（特に熱帯魚）の形態に模した形態に変化し、立体的な動物おもちゃ５００を現出することができる。胴体部の内部は空洞であるため、ここに手を宛がい、指を動かすことで指人形的な遊び方もできる。保管するときは、全てのスナップを外す。占有スペースを取ることなく保管（収納）できる。
【０１３５】
動物おもちゃを立体的に組み立てるためには、複数のスナップを留めるが、このときどのスナップ同士が対となるスナップであるかは明示されていないので、パズル的な感覚で組み立ての過程を楽しむこともできる。
【実施例７】
【０１３６】
図３９以下にタコの動物おもちゃ６００を例示する。この動物おもちゃ６００も裏地を構成する第１の生地６１０と、おもて地を構成する第２の生地６３０とからなり、共にその主要部位として単位胴体部を４単位使用することで動物おもちゃ６００が構成される。単位胴体部とはタコの腕部を除いた概略部位を指すものであり、厳密には全く同一の形状をなすものではないが、ほぼ同一の形状とみなせるので、以下同一の形状として取り扱う。
【０１３７】
第１の生地６１０を構成する第１の生地本体６１２は、図３９に示すように、中心点Ｐを基準にして回転対称となるように単位胴体部を配した平面形状をなす。４つの単位胴部用生地部６１４（６１４Ａ〜６１４Ｄ）に連なってタコの脚となる２本の腕部用生地部６１６（６１６Ａ〜６１６Ｈ）が一体となるように裁断される。
【０１３８】
腕部用生地部６１６の形態は、生きているタコの脚を模すためそれぞれ異なった形を採る。単位胴部用生地部６１４のそれぞれには隣接する胴体部を連結するための留め具を取り付ける切片６１８が設けられている。単位胴部用生地部６１４Ａを除く各単位胴部用生地部６１４にはそれぞれ４片の切片６１８を有する。
【０１３９】
第２の生地６３０は、図４０に示すように同一形状をなす４つの切片からなる単位胴部用表出部６３４（６３４Ａ〜６３４Ｄ）で構成され、各単位胴部用表出部６３４と連なるように、腕部用表出部６３６（６３６Ａ〜６３６Ｈ）が腕部用生地部６１６と同一形状となるように裁断される。
【０１４０】
４つの単位胴部用表出部６３４は互いに切り離されており、図３９に示すように中心点Ｐを中心として第１の生地本体６１２に貼り合わされて合体される。合体後の図４０におけるＡ−Ａ線上断面図を図４１に、Ｂ−Ｂ線上断面図を図４２に示す。
【０１４１】
続いて、スナップを使用した留め具について図４０を使用して説明する。留め具は各単位胴部用表出部６３４に対して４個使用される。そして、隣接する単位胴部用表出部同士を連結するため、隣接する単位胴部用表出部に取り付けられたスナップ同士が対をなす。
【０１４２】
（６４０Ａ，６４０Ｂ）、（６４０Ｃ，６４０Ｄ）〜（６５４Ａ，６５４Ｂ）のように同一番号同士が対をなすスナップである。同一番号に付されたアルファベットＡはメス型スナップを指し、アルファベットＢはオス型スナップを指す。
【０１４３】
そしてこの例では、単位胴部用表出部６３４Ａに取り付けられた一対のスナップ６４０Ａ，６４０Ｃが目の部位として使用される。そのため、これら一対のスナップ６４０Ａ，６４０Ｃは何れもカラーリングスナップ（この例では白色）が使用される。
【０１４４】
これら複数のスナップにあって、図４０の図示の状態では、スナップを取り付けた切片６６０は何れも山折りして連結される。４つの単位胴部用表出部６３４Ａ〜６３４Ｄの切片６６０を互いに山折りした状態でそれぞれのスナップを連結することで、図４４のように胴部全体に膨らみを持たせることができる。
【０１４５】
このように複数のスナップを使用して連結することで、図４３のように立体形状に組み立てることができると共に、タコの足が胴部より外方に飛び出した状態に組み上がるため、タコの特徴的部位を表出した動物おもちゃ６００を実現できる。スナップを外すことで、図３９（図４０）のような平面形態に戻る。
【０１４６】
全てのスナップを外せば占有スペースを取ることなく動物おもちゃ６００を保管できる。
【実施例８】
【０１４７】
図４５以下に動物おもちゃ８００としてヘビを示す。ヘビの生体に模すため、左右にくねった体型となるような平面形状に裁断される。そのため、図４５に示すように第１の生地８１０は帯状をなすも、頭部から尾部に連なる胴体用生地部８１６が複数、この例では互いに連なった７つの単位胴体部８１６Ａ〜８１６Ｇで構成される。この胴体用生地部８１６の一端この例では左端側が頭部用生地部８１４として用いられ、右端側が尾部用生地部８１８として用いられる。
【０１４８】
これら生地部８１４〜８１８はその中心線（横方向）を基準にして対称形となるように第１の生地本体８１２が裁断されており、頭部用生地部８１４の先端にはひも状をなす波形構成の舌甲用生地部８１９が設けられている。
【０１４９】
単位胴体部８１６Ａ〜８１６Ｇは何れも短冊状となるように第１の生地本体８１２が裁断されるも、その長さは尾部側に向かって少しづつ短めに裁断されると共に、上下に波打つように裁断位置と切断位置が微妙に異ならされている。尾部用生地部８１８は桃の形に裁断することで、尻尾を模している。
【０１５０】
図４６は表地となる第２の生地８３０の展開図例を示す。この第２の生地８３０も生地部８１４〜８１８に対応して複数の短冊状の切片で構成され、頭部用表出部８３４、胴体部用表出部８３６および尾部用表出部８３８および舌甲用生地部８３９はそれぞれ異なった色彩が施されたフェルトが使用される。この例ではヘビの特徴的部位を表出できるように、単位胴体部用表出部８３６Ａ〜８３６Ｇは交互に同じ色彩のフェルトが使用されている。
【０１５１】
留め具について図４６を使用して説明する。この例では、頭部から尾部までそれぞれが立体的形態となるようにそれぞれの表出部８３４〜８３８ごとに、対となるスナップ（リングスナップ）８４０Ａ〜８５６Ｂが取り付け固定される（図４７、図４８参照）。そして、同一番号に付されたアルファベットＡとＢが対をなすメス型とオス型構成のスナップである。なお、図４７は図４６のＡ−Ａ線上断面図であり、図４８はＢ−Ｂ線上断面図である。
【０１５２】
これら対となるスナップ８４０Ａ〜８５６Ｂ同士を連結することで、図５０に示す途中の形態から、最終的には図４９のように丸みを帯びたヘビの形態に近い立体形状を得ることができる。単位胴体部用表出部８３６Ａ〜８３６Ｇは、図５０のように第１の生地本体８１２の切り込みの深さが微妙に相違するため、立体化したとき波を打ったような動きを再現できる。
【０１５３】
スナップ８４０〜８５６を外すと扁平な生地に戻るので、保管が容易である。動物おもちゃを立体的に組み立てるためには、複数のスナップを留めるが、このときどのスナップ同士が対となるスナップであるかは明示されていないので、パズル的な感覚で組み立ての過程を楽しむこともできる。
【０１５４】
なお、上述した各実施例において、使用する素材は何れも共通しており、その大きさも幼児が手に持って遊びやすい大きさとなされており、またメス型スナップとオス型スナップは、上述した各実施例とは逆にして使用しても差し支えない。
【産業上の利用可能性】
【０１５５】
この発明では、留め具を用いて組み立てたときは動物を模した立体形状をなす動物おもちゃに利用できる。
【図面の簡単な説明】
【０１５６】
【図１】この発明に係る組み立て式の動物おもちゃをペンギンに適用したときの該動物おもちゃを構成する裏地としての第１の生地の展開図である。
【図２】該動物おもちゃを構成する表地としての第２の生地の展開図である。
【図３】図２のＡ−Ａ線上断面図である。
【図４】図２のＢ−Ｂ線上断面図である。
【図５】この発明に係る組み立て式の動物おもちゃを示す斜視図である。
【図６】組み立て途中の状態を示す斜視図である。
【図７】この発明に係る組み立て式の動物おもちゃをゾウに適用したときの該動物おもちゃを構成する裏地としての第１の生地の展開図である。
【図８】該動物おもちゃを構成する表地としての第２の生地の展開図である。
【図９】図８のＡ−Ａ線上断面図である。
【図１０】図８のＢ−Ｂ線上断面図である。
【図１１】この発明に係る組み立て式の動物おもちゃを示す斜視図である。
【図１２】組み立て途中の状態を示す斜視図である。
【図１３】この発明に係る組み立て式の動物おもちゃをカメに適用したときの該動物おもちゃを構成する裏地としての第１の生地の展開図である。
【図１４】該動物おもちゃを構成する表地としての第２の生地の展開図である。
【図１５】図１４のＡ−Ａ線上断面図である。
【図１６】図１４のＢ−Ｂ線上断面図である。
【図１７】この発明に係る組み立て式の動物おもちゃを示す斜視図である。
【図１８】組み立て途中の状態を示す斜視図である。
【図１９】この発明に係る組み立て式の動物おもちゃをカブトムシに適用したときの該動物おもちゃを構成する裏地としての第１の生地の展開図である。
【図２０】該動物おもちゃを構成する表地としての第２の生地の展開図である。
【図２１】図２０のＡ−Ａ線上断面図である。
【図２２】図２０のＢ−Ｂ線上断面図である。
【図２３】この発明に係る組み立て式の動物おもちゃを示す斜視図である。
【図２４】組み立て途中の状態を示す斜視図である。
【図２５】この発明に係る組み立て式の動物おもちゃをトリに適用したときの該動物おもちゃを構成する裏地としての第１の生地の展開図である。
【図２６】該動物おもちゃを構成する表地としての第２の生地の展開図である。
【図２７】図２６のＡ−Ａ線上断面図である。
【図２８】図２６のＢ−Ｂ線上断面図である。
【図２９】この発明に係る組み立て式の動物おもちゃを示す斜視図である。
【図３０】組み立て途中の状態を示す斜視図である（その１）。
【図３１】組み立て途中の状態を示す斜視図である（その２）。
【図３２】組み立て途中の状態を示す斜視図である（その３）。
【図３３】この発明に係る組み立て式の動物おもちゃをサカナに適用したときの該動物おもちゃを構成する裏地としての第１の生地の展開図である。
【図３４】該動物おもちゃを構成する表地としての第２の生地の展開図である。
【図３５】図３４のＡ−Ａ線上断面図である。
【図３６】図３４のＢ−Ｂ線上断面図である。
【図３７】この発明に係る組み立て式の動物おもちゃを示す斜視図である。
【図３８】組み立て途中の状態を示す斜視図である。
【図３９】この発明に係る組み立て式の動物おもちゃをタコに適用したときの該動物おもちゃを構成する裏地としての第１の生地の展開図である。
【図４０】該動物おもちゃを構成する表地としての第２の生地の展開図である。
【図４１】図４０のＡ−Ａ線上断面図である。
【図４２】図４０のＢ−Ｂ線上断面図である。
【図４３】この発明に係る組み立て式の動物おもちゃを示す斜視図である。
【図４４】組み立て途中の状態を示す斜視図である。
【図４５】この発明に係る組み立て式の動物おもちゃをヘビに適用したときの該動物おもちゃを構成する裏地としての第１の生地の展開図である。
【図４６】該動物おもちゃを構成する表地としての第２の生地の展開図である。
【図４７】図４５のＡ−Ａ線上断面図である。
【図４８】図４５のＢ−Ｂ線上断面図である。
【図４９】この発明に係る組み立て式の動物おもちゃを示す斜視図である。
【図５０】組み立て途中の状態を示す斜視図である。
【符号の説明】
【０１５７】
１・・・動物おもちゃ（ペンギン）
１００・・・動物おもちゃ（ゾウ）
２００・・・動物おもちゃ（カメ）
３００・・・動物おもちゃ（カブトムシ）
４００・・・動物おもちゃ（トリ）
５００・・・動物おもちゃ（サカナ）
６００・・・動物おもちゃ（タコ）
８００・・・動物おもちゃ（ヘビ）
１０，１１０，２１０，３１０，４１０，５１０，６１０，８１０・・・第１の生地
３０，１３０，２３０，３３０，４３０，５３０，６３０，８３０・・・第２の生地
【図１】
2009034259.tif 000003
【図２】
2009034259.tif 000004
【図３】
2009034259.tif 000005
【図４】
2009034259.tif 000006
【図５】
2009034259.tif 000007
【図６】
2009034259.tif 000008
【図７】
2009034259.tif 000009
【図８】
2009034259.tif 000010
【図９】
2009034259.tif 000011
【図１０】
2009034259.tif 000012
【図１１】
2009034259.tif 000013
【図１２】
2009034259.tif 000014
【図１３】
2009034259.tif 000015
【図１４】
2009034259.tif 000016
【図１５】
2009034259.tif 000017
【図１６】
2009034259.tif 000018
【図１７】
2009034259.tif 000019
【図１８】
2009034259.tif 000020
【図１９】
2009034259.tif 000021
【図２０】
2009034259.tif 000022
【図２１】
2009034259.tif 000023
【図２２】
2009034259.tif 000024
【図２３】
2009034259.tif 000025
【図２４】
2009034259.tif 000026
【図２５】
2009034259.tif 000027
【図２６】
2009034259.tif 000028
【図２７】
2009034259.tif 000029
【図２８】
2009034259.tif 000030
【図２９】
2009034259.tif 000031
【図３０】
2009034259.tif 000032
【図３１】
2009034259.tif 000033
【図３２】
2009034259.tif 000034
【図３３】
2009034259.tif 000035
【図３４】
2009034259.tif 000036
【図３５】
2009034259.tif 000037
【図３６】
2009034259.tif 000038
【図３７】
2009034259.tif 000039
【図３８】
2009034259.tif 000040
【図３９】
2009034259.tif 000041
【図４０】
2009034259.tif 000042
【図４１】
2009034259.tif 000043
【図４２】
2009034259.tif 000044
【図４３】
2009034259.tif 000045
【図４４】
2009034259.tif 000046
【図４５】
2009034259.tif 000047
【図４６】
2009034259.tif 000048
【図４７】
2009034259.tif 000049
【図４８】
2009034259.tif 000050
【図４９】
2009034259.tif 000051
【図５０】
2009034259.tif 000052